(57)【要約】【課題】本構成を有していない場合と比較して画像データの画像処理時間を短縮する、画像処理装置及び画像処理プログラムを提供する。【解決手段】私用申請指示受付処理（ステップ１０２）により私用申請指示受付部３６でユーザから私用申請を受け付けた私用の画像データのみ公私判定部４０で公私判定処理（ステップ１０８）を行う。私用申請を受け付けなかった公用の画像データ及び公私判定処理により公用と判定された（ステップ１０８でＮ）画像データは、イメージログ生成部４２によりイメージログが生成され、イメージログ記憶部４７に記憶される（ステップ１１８）。【選択図】図３
2010092220.tif 000002
【特許請求の範囲】
【請求項１】
画像処理が施される画像データが公用であるか私用であるかの指示を前記画像データの画像処理を要求するユーザから受け付ける指示受付手段と、
前記指示受付手段により私用の指示を受け付けた画像データが公用及び私用のいずれであるか判定する公私判定手段と、
前記指示受付手段により公用の指示を受け付けた場合は、公用と指示された画像データに関する画像情報を生成し、前記指示受付手段により私用の指示を受け付けた場合は、私用と指示された画像データのうち公私判定手段により公用と判定された画像データに関する画像情報を生成する画像情報生成手段と、
を備えた画像処理装置。
【請求項２】
前記画像情報生成手段は、前記指示受付手段により私用の指示を受け付けた場合は、私用と指示された画像データのうち、公私判定手段により私用と判定された画像データに関する画像情報の生成を禁止する、
請求項１に記載の画像処理装置。
【請求項３】
前記画像データが公用であるか私用であるかを表す公私判定情報を記憶する記憶手段をさらに備え、
前記公私判定手段は、前記記憶手段に記憶されている公私情報が、前記指示受付手段により受け付けた、私用と指示された画像データに含まれているか否かにより公用及び私用のいずれであるかを判定する、
請求項１または請求項２に記載の画像処理装置。
【請求項４】
前記画像データの画像処理を要求するユーザを認証する認証手段をさらに備え、
前記指示受付手段は、前記認証手段により認証されたユーザからのみ、前記画像処理が施される画像データが公用であるか私用であるかの指示を受け付ける、
請求項１から請求項３のいずれか１項に記載の画像処理装置。
【請求項５】
前記画像データが公用の場合は公用の課金区分に対し、前記画像データの画像処理に関して課金処理し、前記画像データが私用の場合は私用の課金区分に対し、前記画像データの画像処理に関して課金処理する、課金処理手段をさらに備えた、
請求項１から請求項４のいずれか１項に記載の画像処理装置。
【請求項６】
前記画像データの画像処理に関する処理情報を生成する処理情報生成手段をさらに備え、
前記課金処理手段は、前記処理情報生成手段により生成された前記処理情報に基づいて課金処理を行う、
請求項５に記載の画像処理装置。
【請求項７】
前記画像情報生成手段により生成された画像情報に基づいて、ユーザが前記画像情報に対応する前記画像データの画像処理の課金区分を前記公用の課金区分から前記私用の課金区分に変更する課金区分の変更を受け付ける課金区分変更受付手段をさらに備え、
前記課金処理手段は、前記課金区分変更受付手段により受け付けた、変更された課金区分に対し、前記画像データの画像処理に関して課金処理する、
請求項５または請求項６に記載の画像処理装置。
【請求項８】
コンピュータを、請求項１から請求項７のいずれか１項に記載の画像処理装置の各手段として機能させるための画像処理プログラム。
【発明の詳細な説明】
【技術分野】
【０００１】
本発明は、画像処理装置及び画像処理プログラムに関する。
【背景技術】
【０００２】
特許文献１には、画像処理を行うすべての文書に対し、印刷履歴に基づいて公私を判定する処理を行う技術が記載されている。
【０００３】
特許文献２には、画像処理を行う全画像データに対し、記憶するか否か判定し、記憶する場合は、画像データを記憶部に記憶する技術が記載されている。
【０００４】
特許文献３には、私用モードで複写を行う場合はサムネイル画像を作成し、サムネイル用のフォルダに移動し、サムネイル画像を確認して課金区分を変更する技術が記載されている。
【特許文献１】特開２００３−０５０６９１号公報
【特許文献２】特開２００４−１９２０３９号公報
【特許文献３】特開２００６−１９１１８２号公報
【発明の開示】
【発明が解決しようとする課題】
【０００５】
本発明は、本構成を有していない場合と比較して画像データの画像処理時間を短縮する画像処理装置及び画像処理プログラムを提供することを目的とする。
【課題を解決するための手段】
【０００６】
上記目的を達成するために、請求項１に記載の画像処理装置は、画像処理が施される画像データが公用であるか私用であるかの指示を前記画像データの画像処理を要求するユーザから受け付ける指示受付手段と、前記指示受付手段により私用の指示を受け付けた画像データが公用及び私用のいずれであるか判定する公私判定手段と、前記指示受付手段により公用の指示を受け付けた場合は、公用と指示された画像データに関する画像情報を生成し、前記指示受付手段により私用の指示を受け付けた場合は、私用と指示された画像データのうち公私判定手段により公用と判定された画像データに関する画像情報を生成する画像情報生成手段と、を備える。
【０００７】
請求項２に記載の画像処理装置は、請求項１に記載の画像処理装置において、前記画像情報生成手段は、前記指示受付手段により私用の指示を受け付けた場合は、私用と指示された画像データのうち、公私判定手段により私用と判定された画像データに関する画像情報の生成を禁止する。
【０００８】
請求項３に記載の画像処理装置は、請求項１または請求項２に記載の画像処理装置において、前記画像データが公用であるか私用であるかを表す公私判定情報を記憶する記憶手段をさらに備え、前記公私判定手段は、前記記憶手段に記憶されている公私情報が、前記指示受付手段により受け付けた、私用と指示された画像データに含まれているか否かにより公用及び私用のいずれであるかを判定する。
【０００９】
請求項４に記載の画像処理装置は、請求項１から請求項３のいずれか１項に記載の画像処理装置において、前記画像データの画像処理を要求するユーザを認証する認証手段をさらに備え、前記指示受付手段は、前記認証手段により認証されたユーザからのみ、前記画像処理が施される画像データが公用であるか私用であるかの指示を受け付ける。
【００１０】
請求項５に記載の画像処理装置は、請求項１から請求項４のいずれか１項に記載の画像処理装置において、前記画像データが公用の場合は公用の課金区分に対し、前記画像データの画像処理に関して課金処理し、前記画像データが私用の場合は私用の課金区分に対し、前記画像データの画像処理に関して課金処理する、課金処理手段をさらに備える。
【００１１】
請求項６に記載の画像処理装置は、請求項５に記載の画像処理装置において、前記画像データの画像処理に関する処理情報を生成する処理情報生成手段をさらに備え、前記課金処理手段は、前記処理情報生成手段により生成された前記処理情報に基づいて課金処理を行う。
【００１２】
請求項７に記載の画像処理装置は、請求項５または請求項６に記載の画像処理装置において、前記画像情報生成手段により生成された画像情報に基づいて、ユーザが前記画像情報に対応する前記画像データの画像処理の課金区分を前記公用の課金区分から前記私用の課金区分に変更する課金区分の変更を受け付ける課金区分変更受付手段をさらに備え、前記課金処理手段は、前記課金区分変更受付手段により受け付けた、変更された課金区分に対し、前記画像データの画像処理に関して課金処理する。
【００１３】
請求項８に記載の画像処理プログラムは、コンピュータを、請求項１から請求項７のいずれか１項に記載の画像処理装置の各手段として機能させるためのものである。
【発明の効果】
【００１４】
請求項１に記載の本発明によれば、本構成を有していない場合と比較して画像データの画像処理時間を短縮する、という効果が得られる。
【００１５】
請求項２に記載の本発明によれば、本構成を有していない場合に比較して、個人情報の漏洩を防止することができる、という効果が得られる。
【００１６】
請求項３に記載の本発明によれば、本構成を有していない場合に比較して、精度良く公私判定を行うことができる、という効果が得られる。
【００１７】
請求項４に記載の本発明によれば、本構成を有していない場合に比較して、セキュリティを向上することができる、という効果が得られる。
【００１８】
請求項５に記載の本発明によれば、本構成を有していない場合に比較して、用途に応じた課金処理を行うことができる、という効果が得られる。
【００１９】
請求項６に記載の本発明によれば、本構成を有していない場合に比較して、適正な課金処理を行うことができる、という効果が得られる。
【００２０】
請求項７に記載の本発明によれば、本構成を有していない場合に比較して、課金処理を行う課金区分を適正にすることができる、という効果が得られる。
【００２１】
請求項８に記載の本発明によれば、画像データの画像処理時間を短縮するとともに、処理する画像データに関する情報の漏洩を防止することができる、という効果が得られる。
【発明を実施するための最良の形態】
【００２２】
［第１の実施の形態］
以下、図面を参照して本発明の実施の形態を詳細に説明する。
【００２３】
図１は、本実施の形態に係る画像処理装置を備える画像処理システムの概略構成の一例を示す概略図である。
【００２４】
本実施の形態の画像処理システム１は、複合機１０、ｎ個のユーザ端末１２ｎ（ｎは１以上の整数）、及びＬＡＮ（ローカルエリアネットワーク）やインターネット等のネットワーク１４を備えて構成されている。
【００２５】
本実施の形態の複合機１０は、コピー、プリンタ、スキャナ、及びファクシミリ機能を備えた装置であり、画像読取部２０、画像受信部２２、画像印刷部２４、操作／表示部２６、及び制御部３０を含んで構成されている。なお、複合機１０が備える機能は上記に限らず、上記機能の一部を備えた装置であっても、その他の機能を備えた装置であってもよい。
【００２６】
画像読取部２０は、原稿等の画像を読取って画像データとするためのものである。具体的例としては、コピー及びスキャナ等が挙げられる。画像受信部２２は、画像データをユーザ端末１２ｎや外部のネットワーク（図示省略）や電話回線（図示省略）等により受信するためのものである。画像印刷部２４は、画像データを印刷（出力）するためのものであり、具体的例としてはコピー及びプリンタ等が挙げられる。操作／表示部２６は、複合機１０においてユーザが画像処理に関する指示操作を行ったり、ユーザに対して情報等を表示したりするためのものである。具体的な例としては、タッチパネル、ディスプレイ、マウス、及びキーボード等が挙げられる。制御部３０は、複合機１０の全体を制御するためのものである（詳細後述）。
【００２７】
ユーザ端末１２ｎは、複合機１０に画像データの画像処理を要求するユーザが画像処理に関する指示を行うためのものであり、操作／表示部２８ｎを含んで構成されている。操作／表示部２８ｎの具体的例としては、タッチパネル、ディスプレイ、マウス、及びキーボード等が挙げられる。ユーザ端末１２ｎの具体的例としては、ＣＰＵ、ＲＯＭ、ＲＡＭ、及びＨＤＤ等により構成されるコンピュータや携帯端末機器等が挙げられる。
【００２８】
複合機１０及びユーザ端末１２ｎはネットワーク１４を介して相互に接続されている。
【００２９】
なお、本構成に限らず、本実施の形態の画像処理システム１は、図１の点線内部に示したように、ｍ台の複合機１０（ｍは２以上の整数）を備える構成としてもよいし、管理サーバ１６を備え、管理サーバ１６で複合機１０ｍを使用するユーザの認証、公私判定、課金処理、や課金区分変更処理等を行うようにしてもよい。
【００３０】
本実施の形態の複合機１０について図２を参照してさらに詳細に説明する。図２は、本実施の形態の複合機１０の概略構成の一例を示す機能ブロック図である。
【００３１】
本実施の形態の複合機１０は、画像読取部２０、画像受信部２２、画像印刷部２４、操作／表示部２６、制御部３０、ネットワークＩ／Ｆ３２、ユーザ認証部３４、私用申請指示受付部３６、公私基準記憶部３８、公私判定部４０、イメージログ生成部４２、イメージログ記憶部４４、ジョブログ生成部４６、ジョブログ記憶部４７、及び課金処理部４８を備えて構成されている。
【００３２】
制御部３０は、ＣＰＵ５０、ＲＯＭ５２、ＲＡＭ５６、及びＨＤＤ５８を含んで構成されている。ＣＰＵ５０では詳細を後述するユーザの認証、公私判定、及び課金処理等を含む画像処理や課金区分変更処理が実行される。当該画像処理の画像処理プログラム５４及び課金区分変更処理プログラム５５は、記録媒体としてのＲＯＭ５２に記憶されている。なお、当該画像処理プログラム５４及び課金区分変更処理プログラム５５は、ＣＤ−ＲＯＭ（図示省略）や、ＤＶＤ−ＲＯＭ（図示省略）、リムーバブルディスク（図示省略）などの記録媒体に記録しておき、ＨＤＤ５８等にインストールし、ＣＰＵ５０により読み込まれて実行されるようにしてもよい。ＲＯＭ５２には画像処理プログラム５４や課金区分変更処理プログラム５５等の各種プログラムやパラメータ等が記憶されており、ＲＡＭ５６は、ＣＰＵ５０による画像処理プログラム５４や課金区分変更処理プログラム５５等の各種プログラムの実行時におけるワークエリア等として用いられる。
【００３３】
ネットワークＩ／Ｆ３２は、ネットワーク１４と接続するためのネットワークインターフェイスである。本実施の形態では、ネットワークＩ／Ｆ３２を介してユーザ端末１２ｎや外部のネットワーク等からユーザが画像処理を要求する画像データ及び画像処理に関する指示等が入力され、ユーザに対して画像処理に関する情報や画像処理した画像データ、課金情報等が出力される。
【００３４】
ユーザ認証部３４は、画像処理を要求するユーザを予め定められた認証情報に基づいて認証するためのものである。認証情報の具体的例としては、ユーザＩＤ、ユーザ名、及びパスワード等が挙げられる。
【００３５】
私用申請指示受付部３６は、ユーザから、画像処理を要求する画像データが私用及び公用のいずれであるかの指示（申請）を受信するためのものであり、本実施の形態では、申請画面（図示省略）をユーザ端末１２ｎに送信し、申請画面に基づいてユーザが指示した申請を受信し、受信した申請により、私用であるか公用であるかを判断する。
【００３６】
公私基準情報記憶部３８は、画像処理を要求された画像データが公用の画像データ及び私用の画像データのいずれであるか判定するための基準となる情報を記憶するためのものである。公私基準情報の具体的例としては、キーワードとなる文字や予め定められた画像等が挙げられる。なお、本実施の形態では、公用を示すキーワードとなる文字（例えば、会社名、部署名、業務名、及び機密を表す文字等）や公用を示す画像（例えば、会社印、会社のロゴ、機密を示す印等）が記憶されている。
【００３７】
公私判定部４０は、公私基準記憶部３８に記憶されている公私基準情報に基づいて画像データの公私を判定するためのものである。本実施の形態では、公私基準記憶部３８に記憶されている情報が画像データに含まれる場合は、当該画像データを公用と判定する。
【００３８】
イメージログ生成部４２は、公用の画像データのイメージログを生成するためのものである。イメージログの具体的例としては、サムネイル画像、画像データを所定の解像度に変換したもの、及び画像データによるイメージそのもの等が挙げられる。イメージログ記憶部４４は、イメージログ生成部４２で生成されたイメージログを記憶するためのものである。
【００３９】
ジョブログ生成部４６は、画像データに行った画像処理に関する情報であるジョブログを生成するためのものである。ジョブログの具体的例としては、画像処理を要求したユーザを特定するための情報、コピーやファックスやスキャナ等使用した機能、画像を出力した場合は出力した用紙の大きさや種類、両面か、片面か、カラーか、モノクロか、等が挙げられる。ジョブログ記憶部４７は、ジョブログ生成部４６で生成したジョブログを記憶するためのものである。
【００４０】
課金処理部４８は、画像処理の処理内容に応じて課金処理を行うためのものである。本実施の形態では、画像データが公用の場合はグループ別課金処理を行い、私用の場合は個人別課金処理を、ジョブログ生成部４６で生成されたジョブログに基づいて行う（詳細後述）。また、ユーザから、課金区分の変更を受け付け、変更した課金区分に対する課金処理を行う（詳細後述）。
【００４１】
画像読取部２０、画像受信部２２、画像印刷部２４、操作／表示部２６、制御部３０、ネットワークＩ／Ｆ３２、ユーザ認証部３４、私用申請指示受付部３６、公私基準記憶部３８、公私判定部４０、イメージログ生成部４２、イメージログ記憶部４４、ジョブログ生成部４６、ジョブログ記憶部４７、課金処理部４８、ＣＰＵ５０、ＲＯＭ５２、ＲＡＭ５６、及びＨＤＤ５８は、コントロールバスやデータバス等のバス６０を介して互いに情報等の授受が可能に接続されている。
【００４２】
次に、本実施の形態の複合機１０で実行されるユーザの認証、公私判定、及び課金処理等を含む画像処理について図３を参照して詳細に説明する。
【００４３】
図３は、本実施の形態の画像処理の一例を示すフローチャートである。なお、本処理はユーザから画像処理の要求があった場合（例えば、ユーザ端末１２ｎから画像の出力指示があった場合等）に実行される。
【００４４】
ステップ１００では、画像処理を要求してきたユーザのユーザ認証処理をユーザ認証部３４により行う。なお、本実施の形態では、ユーザが認証された場合について次ステップ以降で詳細に説明するが、ユーザが認証されなかった場合は、その旨をユーザに報知する等の予め定められた認証エラー処理を行い、本処理を終了する
次のステップ１０２では、私用申請指示受付部３６により、私用申請指示受付処理を行う。本実施の形態では、ユーザ認証されたユーザのユーザ端末１２ｎに申請画面（図示省略）を送信し、ステップ１０４に進む。
【００４５】
ステップ１０４では、申請画面に基づいてユーザから私用の申請を受け付け、受信した申請により、私用であるか公用であるかを判断する。なお本実施の形態では、私用の申請を受け付けると、私用モードで画像処理を行うと判断し、申請を受け付けなかった場合は公用モードで画像処理を行うと判断する。そのため、私用申請を受け付けると、私用モードと判断し、肯定されて、ステップ１０６に進む。
【００４６】
ステップ１０６では、画像データを受信する。ユーザが複合機１０をプリンタとして使用する場合はユーザ端末１２ｎ等から画像データ受信部２２で画像データを受信する。また、ファックス（受信）として使用する場合は電話回線等から画像データ受信部２２で画像データを受信する。また、コピー及びスキャナとして使用する場合は画像読取部２０で読取った原稿等の画像データが入力される。
【００４７】
次のステップ１０８では、公私判定部４０により、公私判定処理を行う。ステップ１０６で受信した画像データと公私基準情報記憶部３８に記憶されている公私基準情報（公私基準画像）とを対比することにより公私判定処理を行う。本実施の形態では、具体的には画像データが文字データである場合はＯＣＲ処理（文字認識処理）を行い、キーワード検索を行い、画像データが写真等である場合は類似画像検索を行い、公私基準記憶部３８に記憶されている公私情報が画像データに含まれる場合は、当該画像データを公用と判定する。これにより、公用の画像データを誤って私用と申請してしまい、私用モードで処理されている場合は、当該画像データの処理を公用モードに変更する。
【００４８】
このように、本実施の形態では、全画像データに対して公私判定処理を行わずに、ユーザにより私用と申請された画像データのみに対して公私判定処理を行う。処理量が減るため、公私判定処理に要する時間が短縮する。
【００４９】
次のステップ１１０では、ステップ１０８の公私判定処理の処理結果に基づいて画像データが私用であるか否か判断する。公私判定処理の処理結果が公用である場合は否定されてステップ１１８へ進む。一方、私用である場合は肯定されてステップ１１２へ進む。
【００５０】
ステップ１１２では、ジョブログ生成部４６により、指示された画像処理の処理内容に関する情報を表すジョブログを生成し、ジョブログ記憶部４７に記憶する。
【００５１】
次のステップ１１４では、課金処理部４８により、ステップ１１２で生成及び記憶したジョブログに基づいて個人別課金処理を行う。ここではユーザの私用モードであるため、使用するユーザ個人に対して、画像処理の内容に基づいて金額を課金する課金処理（個人別課金処理）を行う。個人別課金処理の具体的例としては、ユーザの給与から天引きされるようにしたり、支払い請求書等をユーザ端末１２ｎに送信したりする等が挙げられる。個人別課金処理を行った後、ステップ１２４へ進み、ユーザにより要求された画像処理を行う。
【００５２】
一方、ステップ１０４で私用申請を受け付けなかった場合は、公用モードで画像処理を行うと判断するため否定されて、ステップ１１６へ進む。
【００５３】
ステップ１１６では、画像データを受信する。本ステップは、ステップ１０６と同様のステップである。
【００５４】
ステップ１１６の次、または、ステップ１１０で否定された場合に進むステップ１１８では、イメージログ生成部４２により画像データのイメージログを生成し、生成したイメージログをイメージログ記憶部４４に記憶する。すなわち、本ステップでは、ユーザにより公用と申請された（私用と申請されなかった）画像データ及び、公私判定処理により公用と判定された画像データのイメージログを生成し、記憶する。
【００５５】
次のステップ１２０では、ジョブログ生成部４６により、指示された画像処理の処理内容に関する情報を表すジョブログを生成し、ジョブログ記憶部４７に記憶する。本ステップは、ステップ１１２と同様のステップである。
【００５６】
次のステップ１２２では、課金処理部４８により、ステップ１１２で生成及び記憶したジョブログに基づいてグループ別課金処理を行う。ここでは公用モードであるため、ユーザが所属するグループやプロジェクト等予め定められた部署等に、画像処理の内容に基づいて金額を課金する課金処理（グループ別課金処理）を行う。グループ別課金処理の具体的例としては、グループの予算から差し引いたり、グループに対して支払い請求書等を送信したりする等が挙げられる。グループ別課金処理を行った後、ステップ１２４へ進み、ユーザにより要求された画像処理を行う。
【００５７】
ステップ１２４では、ユーザにより要求された画像処理を行った後、本処理を終了する。ユーザが複合機１０をプリンタ、コピー、及びファックス（受信）として使用する場合はステップ１０６またはステップ１１６で受信した画像データを画像印刷部２４で印刷する。スキャナとして使用する場合は画像読取部２０で読取った画像データをユーザ端末１２ｎに送信したり、複合機１０の予め定められたＨＤＤ５８等の記憶部や、ユーザが指定した場所等に送信したりする。
【００５８】
なお、公私判定処理、イメージログの生成、及びジョブログの生成等は、要求された画像処理のジョブ毎に、複数ページの画像を一括し行ってもよいし、画像データのページ毎に行ってもよい。
【００５９】
また、本実施の形態では、課金処理（ステップ１１４またはステップ１２２）を行った後に画像処理（ステップ１２４）を行っているがこれに限らず、画像処理を行った後に課金処理を行ってもよいし、課金処理を行わずに図３に示す本処理を終了し、後日、別途課金処理を行うようにしてもよい。なお、別途課金処理を行う場合は、ジョブログ記憶部４７に記憶されているジョブログに基づいて課金処理を行うようにすればよい。
【００６０】
このように、本実施の形態では、私用申請指示受付部３６でユーザから私用申請を受け付けた画像データのみ公私判定処理を行うため、処理時間が短くなる。また、イメージログ生成部４６は、私用申請を受け付けた画像データのイメージログを生成しないため、私用の画像データが残らないので、画像処理システム１の管理者等の第３者に個人情報が漏洩することが防止される。
【００６１】
また、ユーザから私用申請を受け付けなかった（公用申請された）画像データは公私判定処理を行わないため、公私判定処理時間が不要になる。また、公用申請された画像データ及び私用申請された画像データであっても公私判定処理により公用と判定された画像データは、イメージログ生成部４２によりイメージログが生成され、イメージログ記憶部４７に記憶される。イメージログ記憶部４７に記憶されているイメージログは、画像データに関連する企業情報や機密等の情報漏洩の経路の特定、追跡に用いられる。
【００６２】
さらに、上記ステップ１０２でユーザが画像データが私用か公用かを申請する際に、私用であるものを公用と偽って申請したり、私用であるのに私用の申請を行うのを忘れたりする等により、誤ったモードで処理され、誤った課金区分に課金処理される場合がある。このような場合は、ユーザがイメージログ記憶部４４に記憶されているイメージログに基づいて課金区分の変更を行うので、課金処理部４８は、課金区分の変更を受け付け、変更した課金区分に対する課金処理を行う。
【００６３】
課金区分の変更（公用から私用への変更）について図４を参照して詳細に説明する。図４は、本実施の形態の課金区分変更処理の一例を示すフローチャートである。なお、本処理はユーザから課金区分の変更や確認等の要求があった場合に実行される。なお、課金区分変更処理は予め定められた管理者のみが行えることが好ましいため、管理者認証を行い、認証された場合のみ、本処理を行うようにしてもよい。
【００６４】
ステップ２００では、イメージログ記憶部４４に記憶されているイメージログを読み出し、次のステップ２０２では、課金区分変更画面（図示省略）及び読み出したイメージログを、課金区分の変更を行うユーザのユーザ端末１２ｎ等に送信する。なお、ユーザ端末１２ｎに送信せずに、複合機１０の操作／表示部２６に表示するようにしてもよい。
【００６５】
これによりユーザは、表示されたイメージログを参照し、課金区分変更画面により課金区分の変更を指示する。イメージログが生成及び記憶されている画像データは全て、図３に示した画像処理により公用とされている画像データであるため、課金区分は公用である。そこで、私用の画像データに対応するイメージログが混在していた場合はその画像データの課金区分を公用から私用に変更する指示がユーザにより行われる。
【００６６】
次のステップ２０４では、課金区分の変更が有るか否か判断する。変更が無い場合は本処理を終了する。一方、ユーザから課金区分を公用から私用にする変更を受け付けた場合は肯定されて、ステップ２０６へ進む。
【００６７】
ステップ２０６では、ユーザから受け付けた課金区分変更の指示に基づいて課金区分を個人に変更し、個人別課金処理を行う。本実施の形態では、課金区分の変更を受け付けた画像データに対応するジョブログをジョブログ記憶部４７から読取り、画像データの処理を要求したユーザに対して個人別課金処理を行う。
【００６８】
次のステップ２０８では、グループ別予算を修正する、グループ別課金処理を行う。課金区分を変更した画像データの課金処理が図３に示した画像処理では、グループに対して行われているため、これを修正するための処理を行う。課金処理を行った後、本処理を終了する。
【００６９】
このように本実施の形態の課金区分変更処理では、ユーザが私用であるものを公用と偽って申請したり、私用の申請を行うのを忘れたりする等により、誤ったモードで処理され、誤った課金区分に課金処理された場合でも、適正な課金区分に変更できるため、適正に課金処理が成される。
【図面の簡単な説明】
【００７０】
【図１】本発明の実施の形態に係る画像処理システムの概略構成の一例を示す概略構成図である。
【図２】本発明の実施の形態に係る複合機の概略構成の一例を示す機能ブロック図である。
【図３】本発明の実施の形態に係る複合機で実行される画像処理の一例を示すフローチャートである。
【図４】本発明の実施の形態に係る画像処理装置で実行される課金区分変更処理の一例を示すフローチャートである。
【符号の説明】
【００７１】
１０  画像処理装置
３４  ユーザ認証部
３６  私用申請指示受付部
３８  公私基準情報記憶部
４０  公私判定部
４２  イメージログ生成部
４６  ジョブログ生成部
４８  課金処理部
５０  制御部
【図１】
2010092220.tif 000003
【図２】
2010092220.tif 000004
【図３】
2010092220.tif 000005
【図４】
2010092220.tif 000006